(57)【要約】      （修正有）【課題】安価でデザイン変更を行うことが可能な酸素シェルターを提供する。【解決手段】収容部２は、底面板２ａ、左側面板２ｂ、右側面板２ｃ、正面板２ｄ、背面板２ｅ、及び天井板２ｆからなり、これらそれぞれを補強するための天井板補強柱２ｇ、正面板補強柱２ｈ、底面板補強柱２ｉ、右側面板補強柱２ｊ、左側面板補強柱２ｋ、及び背面板補強柱２ｌからなる補強柱が設けられている。そして、この補強柱の間には、収容部２のデザインを変更するためのパネル部が取り付けられる。これにより、収容部２に対してパネル部を取り付けるだけで酸素シェルター１の印象が変わることから、酸素シェルター１のデザインを安価で変更することができる。【選択図】図１
0003220021.tif 000002
【実用新案登録請求の範囲】
【請求項１】
利用者を内部に収容可能な金属製の収容部と、
前記収容部に形成された開口部と、
前記開口部を開放及び閉塞可能な扉部と、
前記収容部の内部の気圧を制御する気圧制御部と、
前記収容部を補強するために取り付けられ、格子状の補強柱と、
前記補強柱の間に取り付けられ、前記収容部のデザインを変更するためのパネル部と、
を備えたことを特徴とする酸素シェルター。
【請求項２】
前記パネル部の厚みは、
前記補強柱の高さ以下であることを特徴とする請求項１に記載の酸素シェルター。
【考案の詳細な説明】
【技術分野】
【０００１】
本考案は、酸素シェルターに関するものである。
【背景技術】
【０００２】
従来では、利用者を収容する収容部の内部の気圧を標準気圧以上に加圧する酸素ルームにシェルター機能を備えた酸素シェルターが知られている（例えば、特許文献１）。このような酸素シェルターは、収容部が金属製となっているので、例えば、地震等の有事の際に、収容部の内部にいる利用者の身を守ることができる。
【０００３】
一方で、有事の際以外には、内部の気圧を標準気圧以上に加圧する酸素ルームとして利用することができるので、酸素シェルターを屋内に設置したとしても、屋内のスペースを無駄にしてしまうという事態を防止することができる。
【先行技術文献】
【特許文献】
【０００４】
【特許文献１】実用新案登録３２１４０３６号
【考案の概要】
【考案が解決しようとする課題】
【０００５】
このような酸素シェルターは、購入後にデザインを変更したいと考える場合がある。例えば、酸素シェルターを購入してからしばらく経過した場合や、酸素シェルターが設置されている部屋の模様替えをしたい場合に、デザインを変更したいと考える場合がある。しかしながら、酸素シェルター自体が高価であるため、容易に買い替えることは困難であるという問題点がある。
【０００６】
本考案は、このような問題点に鑑み、安価でデザイン変更を行うことが可能な酸素シェルターを提供することを目的とする。
【課題を解決するための手段】
【０００７】
このような課題を解決するために、本考案に係る酸素シェルターは、利用者を内部に収容可能な金属製の収容部と、前記収容部に形成された開口部と、前記開口部を開放及び閉塞可能な扉部と、前記収容部の内部の気圧を制御する気圧制御部と、前記収容部を補強するために取り付けられ、格子状の補強柱と、前記補強柱の間に取り付けられ、前記収容部のデザインを変更するためのパネル部と、を備えたことを特徴とする。
【０００８】
また、本考案に係る酸素シェルターにおいて、前記パネル部の厚みは、前記補強柱の高さ以下であることを特徴とする。
【考案の効果】
【０００９】
本考案によれば、安価でデザイン変更を行うことが可能な酸素シェルターを提供することができる。
【図面の簡単な説明】
【００１０】
【図１】酸素シェルターの外観図の一例を示す図である。
【図２】パネル部の分解斜視図の一例を示す図である。
【図３】パネル部の正面図及び背面図の一例を示す図である。
【図４】パネル部の拡大断面図の一例を示す図である。
【図５】パネル部を取り付けた酸素シェルターの一例を示す図である。
【図６】第２実施形態におけるパネル部の拡大断面図の一例を示す図である。
【考案を実施するための形態】
【００１１】
以下、本考案の実施形態について図面を参照しながら具体的に説明する。
【００１２】
（第１実施形態）
図１〜図５を用いて、本考案における第１実施形態について説明を行う。
【００１３】
（酸素シェルター１の外観斜視図）
まず、図１を用いて、本考案における酸素シェルター１の構成について具体的に説明を行う。なお、図１は、開口部３が開放された状態の酸素シェルター１の外観を示す図である。
【００１４】
（酸素シェルター１）
本考案における酸素シェルター１は、収容部２と、気圧制御ユニット６と、濃縮酸素装置７により構成される。
【００１５】
（収容部２）
収容部２は、収容部２の底面に設けられている板状の底面板２ａと、収容部２の正面視左側面に設けられている板状の左側面板２ｂと、収容部２の正面視右側面に設けられている板状の右側面板２ｃと、収容部２の正面側に設けられている板状の正面板２ｄと、収容部２の背面側に設けられている板状の背面板２ｅと、収容部２の天井側に設けられている板状の天井板２ｆとにより構成されており、溶接、ビス止め等により結合されることで箱形状に形成されている。また、収容部２は、酸素シェルター１を利用する利用者を収容可能な空間を内部に有している。
【００１６】
また、収容部２の材質は、強度に優れた金属製（例えば、鋼、鉄）となっている。これにより、収容部２の耐重圧性、耐衝撃性が向上するので、収容部２の内部にいる利用者の安全性が向上する。なお、収容部２の材質は、強度に優れた材質であればどのような材質であってもよい。
【００１７】
ここで、本実施形態において、天井板２ｆには、天井板２ｆを補強するための金属製の天井板補強柱２ｇが格子状に設けられている。これにより、例えば、地震等で鉄筋や鉄骨構造物が上方から衝突した際であっても、鉄筋や鉄骨構造物が天井板２ｆに衝突する前に、天井板補強柱２ｇに衝突することとなるので、酸素シェルター１の安全性が向上する。なお、天井板補強柱２ｇは、溶接、ビス止め等により天井板２ｆと結合される。
【００１８】
同様に、正面板２ｄには、正面板２ｄを補強するための金属製の正面板補強柱２ｈが格子状に設けられており、底面板２ａには、底面板２ａを補強するための金属製の底面板補強柱２ｉが格子状に設けられている。
【００１９】
また、本実施形態において、右側面板２ｃには、右側面板２ｃを補強するための金属製の右側面板補強柱２ｊが設けられている。これにより、例えば、地震等で鉄筋や鉄骨構造物が右側から衝突した際であっても、鉄筋や鉄骨構造物が右側面板２ｃに衝突する前に、右側面板補強柱２ｊに衝突することとなるので、酸素シェルター１の安全性が向上する。なお、右側面板補強柱２ｊは、溶接、ビス止め等により右側面板２ｃと結合される。
【００２０】
同様に、左側面板２ｂには、左側面板２ｂを補強するための金属製の左側面板補強柱２ｋが設けられており、背面板２ｅには、背面板２ｅを補強するための金属製の背面板補強柱２ｌが設けられている。
【００２１】
なお、天井板補強柱２ｇ、正面板補強柱２ｈ、底面板補強柱２ｉ、右側面板補強柱２ｊ、左側面板補強柱２ｋ、及び背面板補強柱２ｌを総称して「補強柱」という。
【００２２】
ここで、本実施形態において、収容部２は、奥行き（Ｄ）が１２０ｃｍ、幅（Ｗ）が２６０ｃｍ、高さ（Ｈ）が１５０ｃｍ程度の大きさとなっており、酸素シェルター１の利用者を複数人収容可能となっているが、収容部２の大きさは、少なくとも１人の利用者を収容可能な大きさであればどのような大きさであってもよい。なお、収容部２の内部には、気圧制御ユニット６に設けられている後述の受話器６ｂと通話可能な受話器（図示せず）が設けられている。
【００２３】
（開口部３）
開口部３は、収容部２の正面板２ｄに設けられており、酸素シェルター１の利用者が収容部２の内部に出入り可能な大きさにより形成されている。ここで、開口部３の大きさは、利用者が出入り可能な大きさであれば、どのような大きさであってもよい。また、開口部３が設けられる位置は、正面板２ｄではなく、他の位置に設けられていてもよい。例えば、開口部が左側面板２ｂや、右側面板２ｃ、背面板２ｅ、天井板２ｆに設けられていてもよい。
【００２４】
（扉部４）
扉部４は、収容部２の正面板２ｄに設けられており、開口部３を開放、及び閉塞可能に設けられている。ここで、扉部４の大きさは、開口部３を閉塞可能な大きさであれば、どのような大きさであってもよい。また、扉部４が設けられる位置は、開口部３が設けられている位置に合わせて、別の位置に設けられていてもよい。なお、本実施形態において、扉部４は、開き戸となっているが、これに限定されることはなく、例えば、引き戸や、折れ戸であってもよい。
【００２５】
（窓部５）
窓部５は、収容部２の正面板２ｄに設けられており、収容部２の外部から収容部２の内部を視認可能とするために設けられている。また、窓部５を設けることにより、収容部２の内部にいる利用者の閉塞感を軽減することができる。ここで、窓部５は、正面板２ｄ以外の位置（例えば、左側面板２ｂ、右側面板２ｃ、背面板２ｅ）に設けられていてもよく、複数設けられていてもよい。なお、窓部５の大きさは、どのような大きさであってもよい。
【００２６】
（気圧制御ユニット６）
気圧制御ユニット６は、収容部２や、濃縮酸素装置７と接続されており、収容部２の内部の気圧を制御するために設けられている。また、気圧制御ユニット６は、気圧制御ユニット６に電力を供給するための気圧制御ユニット用電源ボタン６ａと、収容部２の内部にいる利用者と通話可能な受話器６ｂと、収容部２の内部の気圧を制御するための操作を検出する制御パネル６ｃを有している。
【００２７】
（濃縮酸素装置７）
濃縮酸素装置７は、気圧制御ユニット６と接続されており、濃縮酸素装置７に電力を供給するための濃縮酸素装置用電源ボタン７ａと、濃縮酸素装置７の内部に設けられており、空気中の窒素、及び二酸化炭素を取り除くためのゼオライト（図示せず）を有している。
【００２８】
（酸素シェルター１の利用方法）
ここで、酸素シェルター１の利用方法について説明を行う。まず、気圧制御ユニット用電源ボタン６ａと、濃縮酸素装置用電源ボタン７ａを操作することにより、気圧制御ユニット６と、濃縮酸素装置７の電源をＯＮにする。次に、制御パネル６ｃを操作することにより、気圧制御ユニット６から濃縮酸素装置７に対して収容部２の内部の気圧を制御する制御信号が送信されることとなる。また、濃縮酸素装置７は、外気を取り込み、この取り込んだ外気から、ゼオライトにより窒素、及び二酸化炭素を取り除くことにより、濃度の濃い酸素を精製し、濃度の濃い酸素を気圧制御ユニット６に供給する。そして、気圧制御ユニット６は、濃縮酸素装置７から供給された濃度の濃い酸素を、収容部２の内部に供給する処理を行う。これらにより、収容部２の内部の気圧が制御されることとなる。なお、この後、利用者は、扉部４を開いて収容部２の内部に入り、扉部４を閉めることで酸素シェルター１を利用することとなる。
【００２９】
（外側酸素排出弁８）
外側酸素排出弁８は、正面板２ｄに設けられており、収容部２の内部の酸素を排出するために設けられている。ここで、収容部２の外側から外側酸素排出弁８を操作することにより、収容部２の内部の酸素を排出することができる。
【００３０】
（内側酸素排出弁９）
内側酸素排出弁９は、正面板２ｄに設けられており、外側酸素排出弁８と同様に、収容部２の内部の酸素を排出するために設けられている。ここで、利用者は、収容部２の内部から内側酸素排出弁９を操作することにより、収容部２の内部の酸素を排出することができる。
【００３１】
（パネル部１０の分解斜視図）
次に図２を用いて、本考案におけるパネル部１０の分解斜視図について説明を行う。
【００３２】
（パネル部１０）
パネル部１０は、酸素シェルター１の収容部２のデザインを変更するために設けられている。ここで、パネル部１０は、ベース部１１と、衝撃吸収部１２と、シート部１３と、図３を用いて後述する取付部１４とにより構成されている。また、パネル部１０は、ベース部１１に対して衝撃吸収部１２を載置し、その上からシート部１３を被覆し、シート部１３の隅をベース部１１に対して鋲打機（図示せず）等により止めることにより構成される。
【００３３】
なお、具体的には図５を用いて後述するが、パネル部１０は、酸素シェルター１の取り付けられる位置に応じて形状が異なる。
【００３４】
（ベース部１１）
ベース部１１は、パネル部１０の背面側に設けられており、衝撃吸収部１２や、シート部１３、図３を用いて後述する取付部１４を取り付けるために設けられている。また、ベース部１１は、コンパネ、ベニヤ板、合板等からなる。
【００３５】
（衝撃吸収部１２）
衝撃吸収部１２は、ベース部１１と、シート部１３の間に設けられており、衝撃を吸収するために設けられている。また、衝撃吸収部１２の素材は、衝撃を吸収することができる素材であればよく、例えば、アクリル、ウレタン等の合成樹脂を適用することもできるし、ゴム等のその他の素材を適用することもできる。なお、衝撃吸収部１２が設けられていなくてもよい。
【００３６】
（シート部１３）
シート部１３は、衝撃吸収部１２を被覆するために設けられている。また、シート部１３のサイズは、ベース部１１や、衝撃吸収部１２よりも大きくなっている。ここで、シート部１３の素材は、どのような素材を用いてもよく、例えば、綿や絹等の天然繊維を用いることとしてもよいし、ポリエステルや、ナイロン等の化学繊維を用いることとしてもよい。また、本皮や、合成皮革等を用いることとしてもよい。なお、シート部１３の色や模様は、適宜設定可能である。
【００３７】
（パネル部１０の正面図及び背面図）
次に図３を用いて、本考案におけるパネル部１０の正面図及び背面図について説明を行う。なお、図３（Ａ）は、パネル部１０の正面図であり、図３（Ｂ）は、パネル部１０の背面図である。
【００３８】
（取付部１４）
取付部１４は、パネル部１０の背面側、より具体的にはベース部１１の背面側に設けられており、酸素シェルター１の収容部２にパネル部１０を取り付けるために設けられている。また、取付部１４は、第１取付部１４ａと、第２取付部１４ｂと、第３取付部１４ｃと、第４取付部１４ｄとにより構成されており、磁石等からなる。なお、取付部１４の数は、単数であってもよいし、「４」個以外の複数であってもよい。また、取付部１４が設けられる位置は、酸素シェルター１の収容部２にパネル部１０を取り付け可能な位置であればどこに設けられていてもよい。さらに、取付部１４の大きさは、酸素シェルター１の収容部２にパネル部１０を取り付け可能な大きさであれば、どのような大きさであってもよい。
【００３９】
（パネル部１０の拡大断面図）
次に、図４を用いてパネル部１０の拡大断面図について説明を行う。
【００４０】
図４に示す通り、収容部２の補強柱の間に取り付けられているパネル部１０の厚み（Ｄ）は、補強柱の高さ（Ｈ）よりも低くなっている。これにより、補強柱の機能を損なうことなく酸素シェルター１のデザインを変更することができる。
【００４１】
（パネル部１０を取り付けた酸素シェルター１）
次に、図５を用いてパネル部１０を取り付けた酸素シェルター１について説明を行う。
【００４２】
図５に示す通り、収容部２の補強柱の間には、パネル部１０が取り付けられる。また、パネル部１０は、取り付けられる位置に応じて形状が異なる。具体的には、窓部５が設けられている位置に取り付けられるパネル部１０は、窓部５に対応する開口が設けられている。同様に、外側酸素排出弁８や、内側酸素排出弁９が設けられている位置に取り付けられるパネル部１０は、外側酸素排出弁８や、内側酸素排出弁９に対応する開口が設けられている。
【００４３】
なお、気圧制御ユニット６や、濃縮酸素装置７と接続するコネクタを挿入する挿入口が設けられている位置に取り付けられるパネル部１０についても、この挿入口に対応する開口が設けられている。
【００４４】
なお、図５では、酸素シェルター１のデザインをより安価で変更することを目的としており、酸素シェルター１の利用者等の目につき易い左側面板２ｂ、右側面板２ｃ、及び正面板２ｄにパネル部１０が取り付けられており、利用者等の目につき難い底面板２ａ、背面板２ｅ、天井板２ｆについては、パネル部１０が取り付けられていない。もちろん、利用者等の目につき難い底面板２ａ、背面板２ｅ、天井板２ｆについても、パネル部１０が取り付けられていてもよい。
【００４５】
また、図５では、パネル部１０が左側面板２ｂの左側面板補強柱２ｋを除く一面に取り付けられているが、これに限定されることはなく、例えば、左側面板２ｂの左側面板補強柱２ｋを除く一面のうち、一部の面に取り付けられることとしてもよい。なお、右側面板２ｃ、及び正面板２ｄについても同様である。
【００４６】
また、図５では、デザインの統一感を持たせるために、同一模様からなる同一色のパネル部１０を例示しているが、これに限定されることはない。例えば、図５に示すパネル部１０とは異なる模様及び／又は色のパネル部１０を取り付けることとしてもよい。
【００４７】
（第２実施形態）
次に、図６を用いて、本考案における第２実施形態について説明を行う。
【００４８】
（第２実施形態におけるパネル部１０の拡大断面図）
次に、図６を用いて第２実施形態におけるパネル部１０の拡大断面図について説明を行う。
【００４９】
第１実施形態における収容部２の補強柱の間に取り付けられているパネル部１０の厚み（Ｄ）は、図４に示す通り、補強柱の高さ（Ｈ）よりも低くなっているが、第２実施形態における収容部２の補強柱の間に取り付けられているパネル部１０の厚み（Ｄ）は、図６に示す通り、補強柱の高さ（Ｈ）と略同等となっている。これにより、第１実施形態における酸素シェルター１とは異なるデザインである印象を与えることができる。
【００５０】
このように、本考案によれば、収容部２は、底面板２ａ、左側面板２ｂ、右側面板２ｃ、正面板２ｄ、背面板２ｅ、及び天井板２ｆからなり、これらそれぞれを補強するための天井板補強柱２ｇ、正面板補強柱２ｈ、底面板補強柱２ｉ、右側面板補強柱２ｊ、左側面板補強柱２ｋ、及び背面板補強柱２ｌからなる補強柱が設けられている。そして、この補強柱の間には、収容部２のデザインを変更するためのパネル部１０が取り付けられる。これにより、収容部２に対してパネル部１０を取り付けるだけで酸素シェルター１の印象が変わることから、酸素シェルター１のデザインを安価で変更することができる。
【００５１】
また、本考案によれば、パネル部１０の厚み（Ｄ）は、補強柱の高さ（Ｈ）以下であることから、パネル部１０にかかる材料費を削減することができるので、酸素シェルター１のデザインをより安価で変更することができる。
【００５２】
なお、本実施形態において、「収容部２」は、本考案の「収容部」を構成する。
【００５３】
また、本実施形態において、「開口部３」は、本考案の「開口部」を構成する。
【００５４】
また、本実施形態において、「扉部４」は、本考案の「扉部」を構成する。
【００５５】
また、本実施形態において、「気圧制御ユニット６」は、本考案の「気圧制御部」を構成する。
【００５６】
また、本実施形態において、「補強柱」は、本考案の「補強柱」を構成する。
【００５７】
また、本実施形態において、「パネル部１０」は、本考案の「パネル部」を構成する。
【００５８】
なお、本考案の実施について図面を用いて説明したが、具体的な構成はこれらの実施形態に限られるものではなく、本考案の要旨を逸脱しない範囲の設計変更等があっても本考案に含まれる。また、各図面で示した実施形態は、その目的及び構成等に矛盾や問題がない限り、互いの記載内容を組み合わせることが可能である。また、各図面の記載内容はそれぞれ独立した実施形態になり得るものであり、本考案の実施形態は各図面を組み合わせた一つの実施形態に限定されるものではない。
【符号の説明】
【００５９】
１      酸素シェルター
２      収容部
２ａ    底面板
２ｂ    左側面板
２ｃ    右側面板
２ｄ    正面板
２ｅ    背面板
２ｆ    天井板
２ｇ    天井板補強柱
２ｈ    正面板補強柱
２ｉ    底面板補強柱
２ｊ    右側面板補強柱
２ｋ    左側面板補強柱
２ｌ    背面板補強柱
３      開口部
４      扉部
５      窓部
６      気圧制御ユニット
６ａ    気圧制御ユニット用電源ボタン
６ｂ    受話器
６ｃ    制御パネル
７      濃縮酸素装置
７ａ    濃縮酸素装置用電源ボタン
８      外側酸素排出弁
９      内側酸素排出弁
１０    パネル部
１１    ベース部
１２    衝撃吸収部
１３    シート部
１４    取付部
１４ａ  第１取付部
１４ｂ  第２取付部
１４ｃ  第３取付部
１４ｄ  第４取付部
【図１】
0003220021.tif 000003
【図２】
0003220021.tif 000004
【図３】
0003220021.tif 000005
【図４】
0003220021.tif 000006
【図５】
0003220021.tif 000007
【図６】
0003220021.tif 000008